【手続補正書】
【提出日】平成30年3月26日(2018.3.26)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アンライセンススペクトル上での通信信号の送信のためのコンポーネントキャリアのセットを識別することと、
コンポーネントキャリアの前記セットのうちの少なくとも１つのコンポーネントキャリアについてのスタガリングされたクリアチャネルアセスメント（ＣＣＡ）タイミングを、第１のキャリア周波数へのアクセスを獲得するために前記少なくとも１つのコンポーネントキャリア上で実施されるＣＣＡが、第２のキャリア周波数へのアクセスを獲得するためにコンポーネントキャリアの前記セットのうちの異なるコンポーネントキャリア上で実施されるＣＣＡとは異なる時間に起こるように決定することと、
を備える方法。
【請求項２】
複数の基地局間で前記スタガリングされたＣＣＡタイミングを同期させることをさらに備える、請求項１に記載の方法。
【請求項３】
前記スタガリングされたＣＣＡタイミングは、ネットワーク構成の一部として受信されたスタガリングオフセットに従ってコンポーネントキャリアの前記セットのＣＣＡをスタガリングすることを備える、請求項２に記載の方法。
【請求項４】
システム情報ブロック（ＳＩＢ）またはＲＲＣ構成／再構成メッセージ中でユーザ機器（ＵＥ）に前記スタガリングオフセットを送信することをさらに備える、請求項３に記載の方法。
【請求項５】
前記スタガリングされたＣＣＡタイミングは、コンポーネントキャリアの前記セットのうちの少なくとも１つのコンポーネントキャリアについての一連のＣＣＡを、コンポーネントキャリアの前記セットのうちの少なくとも１つの他のものについての一連のＣＣＡとは異なる時間に起こるようにスタガリングすることを備える、請求項１に記載の方法。
【請求項６】
各コンポーネントキャリア上で送信される前記通信信号は、複数のフレームを備え、前記複数のフレームの各々はＣＣＡサブフレームを含み、ここで、前記スタガリングされたＣＣＡタイミングは、
各コンポーネントキャリアについて前記ＣＣＡサブフレームとして異なるサブフレームを選択することを備える、請求項１に記載の方法。
【請求項７】
コンポーネントキャリアの前記セットが、前記アンライセンススペクトル上で送信される、２以上のセカンダリダウンリンク（ＳＤＬ）キャリア、キャリアアグリゲーション（ＣＡ）キャリア、またはスタンドアロン（ＳＡ）キャリアを備え、各コンポーネントキャリアが、前記コンポーネントキャリアのうちの２以上が異なるＴＤＤアップリンク／ダウンリンク（ＵＬ／ＤＬ）構成を有する、時分割複信（ＴＤＤ）送信スキームに従って、前記通信信号を送信するように構成される、請求項１に記載の方法。
【請求項８】
前記少なくとも１つのコンポーネントキャリアについてのクリアチャネルアセスメント免除送信（ＣＥＴ）を、コンポーネントキャリアの前記セットのうちの前記異なるコンポーネントキャリアについてのＣＥＴとは異なる時間に起こるようにスタガリングすることをさらに備える、請求項１に記載の方法。
【請求項９】
第１のコンポーネントキャリア上で通信信号を送信することと、
前記第１のコンポーネントキャリア上で前記通信信号を送信しながら、ＣＣＡを実施するための第２のコンポーネントキャリア上で受信信号を測定することと、
をさらに備える、請求項１に記載の方法。
【請求項１０】
コンポーネントキャリアの前記セットが、第１の周波数において実質的に送信される第１のコンポーネントキャリアと、第２の周波数において実質的に送信される第２のコンポーネントキャリアとを備え、前記第１の周波数および前記第２の周波数が異なる周波数帯に属し、前記スタガリングされたＣＣＡタイミングが、前記第１のコンポーネントキャリアおよび前記第２のコンポーネントキャリアのＣＣＡを異なる時間に起こるようにスタガリングすることを備える、請求項１に記載の方法。
【請求項１１】
前記第１の周波数および前記第２の周波数は、同じ周波数帯の隣接していない周波数であり、前記スタガリングされたＣＣＡタイミングは、前記第１のコンポーネントキャリアおよび前記第２のコンポーネントキャリアのＣＣＡを異なる時間に起こるようにスタガリングすることを備える、請求項１０に記載の方法。
【請求項１２】
ワイヤレス通信のための方法であって、
アンライセンススペクトル上で送信されるコンポーネントキャリアのセット上で通信信号を受信することと、
第１のキャリア周波数へのアクセスを獲得するための、コンポーネントキャリアの前記セットのうちの少なくとも１つのコンポーネントキャリアについてのクリアチャネルアセスメント（ＣＣＡ）が、第２のキャリア周波数へのアクセスを獲得するための、コンポーネントキャリアの前記セットのうちの別のコンポーネントキャリアについてのＣＣＡとは異なる時間に起こることを示す、スタガリング情報を受信することと、
前記スタガリング情報に従ってＣＣＡ動作を実施することとを備える、
方法。
【請求項１３】
コンポーネントキャリアの前記セットの各コンポーネントキャリアについてのＣＣＡがスタガリングオフセットに従ってスタガリングされる、請求項１２に記載の方法。
【請求項１４】
前記受信することは、システム情報ブロック（ＳＩＢ）またはＲＲＣ構成／再構成メッセージ中で基地局から前記スタガリングオフセットを受信することを備える、請求項１３に記載の方法。
【請求項１５】
各コンポーネントキャリア上で送信された通信信号が、複数のフレームを備え、前記複数のフレームの各々がＣＣＡサブフレームを備え、前記スタガリング情報が、各コンポーネントキャリアについて異なるサブフレームを前記ＣＣＡサブフレームとして識別する、請求項１２に記載の方法。
【請求項１６】
コンポーネントキャリアの前記セットが、前記アンライセンススペクトル上で送信される２以上のセカンダリダウンリンク（ＳＤＬ）キャリアを備える、請求項１２に記載の方法。
【請求項１７】
コンポーネントキャリアの前記セットが、第１の周波数で実質的に送信される第１のコンポーネントキャリアと、前記第１の周波数とは異なる周波数帯に属する第２の周波数において実質的に送信される第２のコンポーネントキャリアとを備え、前記第１のコンポーネントキャリアおよび前記第２のコンポーネントキャリアのＣＣＡが異なる時間に起こるようにスタガリングされる、請求項１２に記載の方法。
【請求項１８】
コンポーネントキャリアの前記セットが、第１の周波数において実質的に送信される第１のコンポーネントキャリアと、前記第１の周波数と同じ周波数帯に属する第２の周波数において実質的に送信される第２のコンポーネントキャリアとを備え、
前記第１のコンポーネントキャリアおよび前記第２のコンポーネントキャリアのＣＣＡのタイミングが同期され、
コンポーネントキャリアの前記セットのうちの１つまたは複数の他のコンポーネントキャリアについての１つまたは複数のＣＣＡが、前記第１のコンポーネントキャリアおよび前記第２のコンポーネントキャリアの前記同期されたＣＣＡとは異なる時間に起こるようにスタガリングされる、請求項１２に記載の方法。
【請求項１９】
ワイヤレス通信のための装置であって、
プロセッサと、
前記プロセッサと通信的に結合されたメモリと
を備え、前記プロセッサは、
アンライセンススペクトル上での通信信号の送信のためにコンポーネントキャリアのセットを識別することと、
コンポーネントキャリアの前記セットのうちの少なくとも１つのコンポーネントキャリアについてのスタガリングされたクリアチャネルアセスメント（ＣＣＡ）タイミングを、第１のキャリア周波数へのアクセスを獲得するために前記少なくとも１つのコンポーネントキャリア上で実施されるＣＣＡが、第２のキャリア周波数へのアクセスを獲得するためにコンポーネントキャリアの前記セットのうちの異なるコンポーネントキャリア上で実施されるＣＣＡとは異なる時間に起こるように決定することと、
を行うように構成される、装置。
【請求項２０】
前記プロセッサは、複数の基地局間で前記スタガリングされたＣＣＡタイミングを同期させることと、ネットワーク構成の一部として受信されたスタガリングオフセットに従ってコンポーネントキャリアの前記セットの前記ＣＣＡをスタガリングすることとを行うようにさらに構成される、
請求項１９に記載の装置。
【請求項２１】
前記プロセッサは、コンポーネントキャリアの前記セットのうちの少なくとも１つのコンポーネントキャリアについての一連のＣＣＡが、コンポーネントキャリアの前記セットのうちの少なくとも１つの他のものについての一連のＣＣＡとは異なる時間に起こるようにスタガリングするように構成される、請求項１９に記載の装置。
【請求項２２】
各コンポーネントキャリア上で送信される前記通信信号が複数のフレームを備え、前記複数のフレームの各々がＣＣＡサブフレームを含み、前記プロセッサは、前記コンポーネントキャリアの各々について前記ＣＣＡサブフレームとして異なるサブフレームを選択するように構成される、請求項１９に記載の装置。
【請求項２３】
コンポーネントキャリアの前記セットが、前記アンライセンススペクトル上で送信される、２以上のセカンダリダウンリンク（ＳＤＬ）キャリア、キャリアアグリゲーション（ＣＡ）またはスタンドアロン（ＳＡ）キャリアを備え、各コンポーネントキャリアが、前記コンポーネントキャリアのうちの２以上が異なるＴＤＤアップリンク／ダウンリンク（ＵＬ／ＤＬ）構成を有する、時分割複信（ＴＤＤ）送信スキームに従って、前記通信信号を送信するように構成される、請求項１９に記載の装置。
【請求項２４】
前記プロセッサが、前記少なくとも１つのコンポーネントキャリアについてのクリアチャネルアセスメント免除送信（ＣＥＴ）を、コンポーネントキャリアの前記セットのうちの前記異なるコンポーネントキャリアについてのＣＥＴとは異なる時間に起こるようにスタガリングするようにさらに構成される、請求項１９に記載の装置。
【請求項２５】
前記プロセッサが、第１のコンポーネントキャリア上で通信信号を送信することと、前記第１のコンポーネントキャリア上で前記通信信号を送信しながら、ＣＣＡを実施するための第２のコンポーネントキャリア上で受信信号を測定することとを行うようにさらに構成される、請求項１９に記載の装置。
【請求項２６】
ワイヤレス通信のための装置であって、
プロセッサと、
前記プロセッサと電子通信するメモリと
を備え、前記プロセッサは、
アンライセンススペクトル上で送信されるコンポーネントキャリアのセット上で通信信号を受信することと、
第１のキャリア周波数へのアクセスを獲得するための、コンポーネントキャリアの前記セットのうちの少なくとも１つのコンポーネントキャリアについてのクリアチャネルアセスメント（ＣＣＡ）が、第２のキャリア周波数へのアクセスを獲得するための、コンポーネントキャリアの前記セットのうちの別のコンポーネントキャリアについてのＣＣＡとは異なる時間に起こることを示す、スタガリング情報を受信することと、
前記スタガリング情報に従ってＣＣＡ動作を実施することと、
を行うように構成される、装置。
【請求項２７】
コンポーネントキャリアの前記セットの各コンポーネントキャリアについてのＣＣＡがスタガリングオフセットに従ってスタガリングされる、請求項２６に記載の装置。
【請求項２８】
前記プロセッサが、システム情報ブロック（ＳＩＢ）またはＲＲＣ構成／再構成メッセージ中で基地局から前記スタガリングオフセットを受信するようにさらに構成される、請求項２７に記載の装置。
【請求項２９】
各コンポーネントキャリア上で送信される前記通信信号が複数のフレームを備え、前記複数のフレームの各々がＣＣＡサブフレームを備え、前記スタガリング情報が、各コンポーネントキャリアについて異なるサブフレームを前記ＣＣＡサブフレームとして識別する、請求項２６に記載の装置。
【請求項３０】
コンポーネントキャリアの前記セットが、前記アンライセンススペクトル上で送信される、２以上のセカンダリダウンリンク（ＳＤＬ）、キャリアアグリゲーション（ＣＡ）キャリア、またはスタンドアロング（ＳＡ）キャリアを備える、請求項２６に記載の装置。